(57)【要約】  本発明は、例えば第１の接触面を備えたチップ・モジュールである第１の構成要素と、例えば第２の接触面を備えたアンテナである第２の構成要素とを備え、この２つの接触面が導電性の塊体に接続されるチップカードを製造するための方法と装置に関する。第１のステップにおいて、カード本体（１）は曲げ装置によってその形状が湾曲部を有するように曲げられ、後で第１の構成要素（２）を受け入れるためのカード本体（１）の凹部（５）内に塗布された塊体（４）がその湾曲部の外側に配置される。第２のステップでは、光源（６）からの少なくとも１つの光線（７）が、塗布された塊体（４）の側方からこの塊体（４）上へ向かうように方向付けされ、これによって、カード本体（１）に対する導電性の塊体（４）の塗布高さ（４ａ）を、その塗布高さ（４ａ）を光学的に画像化することにより測定するようになっている。
2007502722.tif 000002
【特許請求の範囲】
【請求項１】
第１の接触面（２ａ）を有するチップモジュール等の第１の構成要素（２）と、カード本体（１）内またはカード本体（１）上に配置されるアンテナ等の第２の構成要素（３）とを備えるチップカードを製造するための方法であって、
前記第１及び第２の接触面（２ａ，３ａ）を互いに接触させるために、導電性の接着剤等の導電性の塊体（４）が、計量装置によって前記第２の構成要素（３）における第２の接触面（３ａ）に少なくとも塗布される前記方法において、
第１のステップにおいて、前記カード本体（１）は、曲げ装置によってその形状が湾曲部を有するように曲げられ、後で前記第１の構成要素（２）を受け入れるための前記カード本体（１）の凹部（５）に塗布された塊体（４）が前記湾曲部の外側に配置され、
第２のステップにおいて、光源（６）からの少なくとも１つの光線（７）は、前記塗布された塊体（４）の側方からこの塊体（４）上へ向くように配置されることによって、前記カード本体（１）に対する前記導電性の塊体（４）の塗布高さ（４ａ）を、前記塗布高さ（４ａ）の光画像によって測定する
ことを特徴とする方法。
【請求項２】
前記塗布高さ（４ａ）の前記画像を記録するためのカメラ装置（１０；１０ａ〜１０ｅ）が、前記カメラ装置（１０；１０ａ〜１０ｅ）の光の入射面に垂直である仮想直線（１０’）が前記塊体（４）の近傍で前記カード本体（１）の湾曲した外側の面に沿って接して延びるように、前記塊体（４）の側方からこの塊体（４）上へと向けて配置されていることを特徴とする請求項１に記載の方法。
【請求項３】
前記仮想直線（１０’）と前記塊体の中心点（４ｂ）近傍における前記カード本体（１）の面に垂直である仮想直線（１１）とが、９０゜の角度（α）をなすことを特徴とする請求項２に記載の方法。
【請求項４】
少なくとも１つの前記光線（７）は、前記カード本体（１）の湾曲した外側の面に沿って直線で延びることを特徴とする請求項１から３のいずれかに記載の方法。
【請求項５】
前記記録された画像は、画像データを評価するための評価装置による画像処理方法によって処理され、前記評価装置が前記カメラ装置（１０；１０ａ〜１０ｅ）へ接続されていることを特徴とする請求項４に記載の方法。
【請求項６】
前記画像処理方法において、前記凹部（５）の深さに関して測定された画像値が評価され、前記塗布高さ（４ａ）に関する画像値と比較され、それらの差の値が出されることを特徴とする請求項５に記載の方法。
【請求項７】
前記画像処理方法において、先の基準となる測定値と比較した画像データは、前記塗布高さ（４ａ）を評価するために使用されることを特徴とする請求項５又は６に記載の方法。
【請求項８】
角度（α）を設定するために、前記光源（６，６ａ）、前記カメラ装置（１０；１０ａ〜１０ｅ）、及び、前記光線（７，７ａ）を偏向するためのプリズム（８，９，１２）を備える測定装置と、前記カード本体（１）との少なくとも一方の曲面が、９０゜の角度（α）が設定されるまで互いに対して旋回されることを特徴とする請求項４から７のいずれかに記載の方法。
【請求項９】
第１の接触面（２ａ）を有するチップモジュール等の第１の構成要素（２）と、カード本体（１）内またはカード本体（１）上に配置されるアンテナ等の第２の構成要素（３）とを備えるチップカードを製造するための装置であって、
前記第１及び第２の接触面（２ａ，３ａ）を互いに接触させるために、導電性の接着剤等の導電性の塊体（４）が、計量装置によって前記第２の構成要素（３）における第２の接触面（３ａ）に少なくとも塗布される前記装置において、
前記カード本体（１）をその形状が湾曲部を有するように制御して曲げるための曲げ装置であって、後で前記第１の構成要素（２）を受け入れるために、前記カード本体（１）の凹部（５）に塗布された塊体（４）を前記湾曲部の外側に配置する曲げ装置と、
前記塗布された塊体（４）の側方からこの塊体（４）上へ向くように配置された少なくとも１つの光線（７）を発生させるための光源（６）と、
前記カード本体（１）に対する前記塊体（４）の塗布高さ（４ａ）の画像であって、前記光線（７）によって生成される画像を記録するためのカメラ装置（１０；１０ａ〜１０ｅ）と、
画像処理方法によって画像データを評価するための評価装置と
を備える装置。
【請求項１０】
前記光源（６，６ａ）、前記カメラ装置（１０；１０ａ〜１０ｅ）、及び前記光線（７，７ａ）を偏向するために任意に付加されるプリズム（８，９，１２）を備える測定装置と、前記曲げ装置との少なくとも一方が、互いに対して旋回可能とされることによって、前記塗布される塊体（４）の位置において所定の角度（α）で、前記カード本体（１）の面に対するカメラ装置（１０；１０ａ〜１０ｅ）の方向を決めることを特徴とする請求項９に記載の装置。
【請求項１１】
前記カメラ装置（１０；１０ａ〜１０ｅ）の前記方向と、前記塊体の中心点（４ｂ）近傍における前記カード本体（１）の面に垂直である仮想直線（１１）との間の角度（α）が９０゜であることを特徴とする請求項１０に記載の装置。
【請求項１２】
前記評価装置によって、前記凹部（５）の深さに関して測定された画像値が評価され、前記塗布高さ（４ａ）に関する画像値と比較されることを特徴とする請求項９〜１１のいずれかに記載の装置。
【発明の詳細な説明】
【技術分野】
【０００１】
本発明は、請求項１及び９の前提部分の通り、第１の接触面を有する第１の構成要素と、第２の接触面を有する第２の構成要素とを備え、この２つの接触面が導電性の塊体により接続されるチップカードを製造するための方法及び装置に関する。
【背景技術】
【０００２】
デュアルインタフェースカード等のチップカードは、チップモジュールの裏側とチップカード内に組み込まれるアンテナとの接触面の間に、フレキシブルなバンプ等の導電性の小さな塊体を有しており、これによって、これらの構成要素間に電気的な接触を確立している。このような構成は、独国特許出願公開１９５００９２５号明細書から知られている。前記文書においては、導電性の接着剤が、カード本体に取り付けられたアンテナの接触面に計量装置によって塗布される。導電性の接着剤の塗布に際して重要なことは、正確に測定された量の接着剤が所定の位置に正確に塗布されることであり、これによって、カード本体の表面の所定の取付部に対して、そのようなフレキシブルなバンプにより増大された高さが、どのカードについても常に同じになるようになっている。フレキシブルなバンプ材料の量は、多すぎても少なすぎてもその２つの接触面の接触不良を引き起こす。この場合、チップカード内の構成要素の接触面が非常に小さい大きさの面であるということに配慮しなければならない。
【０００３】
チップカードの機能性は、フレキシブルなバンプの塗布高さ、つまり導電性の塊体としてのフレキシブルなバンプ材料の計量に大きく依存しており、そのため、製造されるべき多数のチップカードの基礎となる導電性の塊体の分配工程は、各チップカードの各塊体の塗布高さの信頼性があり且つ迅速な測定を必要とする。この場合、非接触の測定方法で個々の塊体の塗布高さを検査して、塗布される塊体またはチップカードの他の部分が損傷する危険性のない迅速な検査工程を可能にすることが特に好適である。
【０００４】
独国特許発明１９７４７３８８号明細書は、導電性の塊体とこの塊体より上に所定の距離をおいて配置される測定電極との間で発生する放電を利用している、そのような非接触測定方法を開示している。しかしながら、これは一方で、この放電工程を実行するために測定電極及びチップカードをガス空間内に配置することを必要とし、他方で電圧が印加されなければならないことから、チップカードの部品が早期に損傷することがある。
【発明の開示】
【発明が解決しようとする課題】
【０００５】
そこで、本発明の目的は、少なくとも２つの接触面の間の接触を確立するために、導電性のある塊体の非接触測定を備えることによって、各チップカードの機能が保証され、簡単で高速且つチップカードに損傷を与えないようにチップカードを製造するための方法及び装置を提供することにある。
【課題を解決するための手段】
【０００６】
この目的は、上記方法に関しては請求項１に記載された特徴により、そして、上記装置に関しては請求項９に記載された特徴により達成される。
【０００７】
本発明の１つの要点は、少なくとも第１の接触面を有する第１の構成要素と、チップカード内またはチップカード上に配置される第２の接触面を有する第２の構成要素とを備えるチップカードを製造するための方法であって、導電性のある塊体が計量装置によって第２の接触面に塗布される方法において、第１のステップでは、カード本体が曲げ装置によって曲げられ、第２のステップでは、光線が塗布された塊体の側方からこの塊体上へ向くように配置され、これによって、カード本体に対する塊体の塗布高さをその塗布高さの光画像によって測定することにある。この場合、第１の構成要素は、例えばカード本体の凹部内に挿入されるチップモジュールであってもよく、第１の接触面はチップモジュールの裏側に配置され、第２の構成要素はカード本体に組み込まれるアンテナであって、このアンテナの端子が上向きにチップモジュールの方向を向く第２の接触面を有していてもよい。従って、導電性の接着剤及び／又はフレキシブルなバンプの形態である導電性の塊体は、第２の接触面の凹部内に配置されるべきものであるので、塊体上へ側方から当たる光線による光学的な測定は、塊体が曲げ工程によって好適に持ち上げられたときにのみ実行され得る。これは、カード本体のその機能を損なう又は害することのない制御された曲げによって、カード本体のその形状が湾曲部を有し且つ塗布された塊体がこの湾曲部の外側に配置されるように実行されることに起因する。このようにして、光線はこの湾曲部の外側でカード本体の表面上を通過していくことが可能であり、その結果、球形の塗布される塊体の側面から見た完全な二次元の外形は、この目的のために提供されるカメラ装置に投射することが可能である。
【０００８】
このような測定方法は、その後にチップモジュールを受け入れるために加工された凹部に塗布された塊体の塗布高さの迅速で簡単な非接触の測定を可能にするだけでなく、オーバーレイ(overlay)の色及びオーバーレイの厚さが異なるチップカードの広範な測定をも可能にする。
【０００９】
画像処理プログラムによって画像データを評価するための評価装置は、＋／−８μｍという高精度の測定を可能にするだけでなく、例えばスクレーパの突起によって生じる可能性のある塊体の端部の領域における不整を考慮するような画像データによって表示された画像の外形に関して画像処理を行うことも可能である。
【００１０】
このような小さな塊体の歪みのない側面図を得るためには、カメラ装置が、衝突する光線に対して前記湾曲部の近傍で塊体の側方から塊体上に向くように方向付けされており、これによって、カメラ装置の光の入射面に垂直である仮想直線であって、その直線の軌道がプリズムによって変更される直線がカード本体の湾曲に沿って接するように延びていることが重要である。この直線と、塊体の中心点近傍におけるカード本体の面に垂直である仮想直線とは、９０゜の角度をなす。そうでなければ、カメラ装置によって捕らえられる小さな塊体の側面から見た外形は歪んで見えるものとなるため、小さな塊体の塗布高さがより小さく測定される。
【００１１】
カード本体は、その両側端が曲げ装置内で固定され、この曲げ装置によりカード本体が一緒に押し動かされて曲げられ、その最大のたわみは、９〜１１ｍｍである。このようにして、可撓性のあるカード本体の損傷のない曲げが保証される。
【００１２】
好ましい一実施形態によれば、画像処理方法において、評価装置は、後でチップモジュールを受け入れるように機能する凹部の深さに関する画像値を、塗布高さに関する画像値と比較して、それぞれの差の値を出し、これによって、基準面として機能する凹部の下面に対する、異なるカード本体に配置された小さな塊体の塗布高さの偏差を確認する。この場合は、小さな塊体の最も高い位置及びその許容される偏差が決定されている。測定された塗布高さが許容される偏差内でなければ、チップカードは廃棄され、または塊体が塗布し直される。
【００１３】
カード本体の湾曲面に垂直に方向付けされた直線と、カメラ装置の方向に向く直線との間の角度が９０゜となるように、光源、カメラ装置、及び光線を偏向させるためのプリズムを備える測定装置は、測定されるべき小さな塊体がカード本体の湾曲部における曲げ装置に対して最も高い位置に配置されるように、曲げ装置に対して旋回することが可能である。そのため、測定装置がカメラ装置の方向に向かう直線に対して９０゜の角度で配置されない場合に、小さな塊体の側面から見た形が部分的にしか画像化されず、その結果として誤った測定結果が得られるという状況が回避される。
【００１４】
好適には、チップカードを製造するための装置は、カード本体を制御して曲げるための曲げ装置と、塗布された塊体の側方からこの塊体上へ向くように配置された少なくとも１つの光線を発生させるための光源と、カード本体に対する塊体／小さな塊体の塗布高さの光線によって生成される画像を記録するためのカメラ装置と、画像処理方法によって画像データを評価するための評価装置とを備える。
【００１５】
他の好適な実施形態は、従属請求項から明らかになる。
【００１６】
利点及び好都合な特徴は、図面に関連した以下の説明で理解することができる。
【発明を実施するための最良の形態】
【００１７】
図１は、本発明による方法によって製造されることが可能である、チップモジュールを挿入する前のチップカードの詳細を示す概略断面図である。このチップカードは、カード本体１を有し、このカード本体１内にチップモジュール２が矢印で示されるように挿入される。前記チップモジュールは、このチップモジュールの下側に配置される第１の接触面２ａを有している。アンテナ３は、上側接触面３ａを有し、カード本体内に組み込まれるように配置され、フレキシブルなバンプ等の導電性のある小さな塊体４と接続されている。このため、小さな塊体は、計量装置（ここに図示せず）によって接触面３ａに塗布されている。
【００１８】
凹部５は、チップモジュール２を受け入れるように作用する。チップモジュール２が挿入されたとき、小さな塊体４の量が正確に与えらていれば、２つの接触面２ａ及び３ａの間には、これらを互いに押しつけることによって、可撓性を有する耐久性のある接触面が提供される。
【００１９】
図２は、本発明の第１の実施形態に係るチップカードを製造するための装置を示す概略側面図である。図２では、カード本体１が曲げ装置（ここに図示せず）によって曲げられて、小さな塊体４がカード本体１の外周面の頂部に配置されるようになっており、塗布高さ４ａ及び塊体の中心点４ｂを有していることがわかる。
【００２０】
小さな塊体４は、凹部５内に配置されるが、それにも関わらず、カード本体１を曲げることによって、カード本体１の阻害する端部の領域が下方へ曲げられるので、光源６から到来する光線７が塗布高さ４ａの全域を照射可能となっている。
【００２１】
プリズム８及び９によって、光線７をカメラ装置１０へと偏向することが可能であり、これによって、測定装置全体が省スペース且つ小型化されるように構成可能となり、前記測定装置が光源６、プリズム８、９及びカメラ装置１０から構成される。
【００２２】
図３ａは、曲がっていない状態における、カード本体１とチップモジュールを挿入するための凹部５とを有するチップカードを示す斜視図である。これに対して、図３ｂは曲がった状態のチップカードを示す。凹部５内の小さな塊体４は、それが頂部に配置されているため、その高さを確実に測定することが可能である。
【００２３】
図３ｃ及び３ｄは、図３ａ及び３ｂのチップカードに関する断面図である。図３ｄからは、曲がったカード本体１の表面に垂直である、塊体４の中心点４ｂを通る直線１１が、衝突する光線７及びカメラ装置の方向に向く直線１０’に対して９０゜の角度でなければならないことがわかる。
【００２４】
図４は、本発明の第２の実施形態における本発明に係る装置を示す側面図である。この装置内には、光線７を発生させる光源６に加えて、小さな塊体４を光線７ａによって照射する働きをする追加の光源６ａが配置されている。プリズム１２は、光線７ａを偏向するために追加して設けられている。
【００２５】
カメラ装置１０は、カメラ本体１０ａ、中間リング１０ｂ、標準レンズ１０ｃ、１０ｄ及びカメラ装置をｘ，ｙ及びｚ方向へ配向するための操作装置１０ｅから構成されている。
【００２６】
図４からは、小さな塊体４が、曲げ装置内で固定された両端の間で、カード本体１上の中央に配置されなければ、曲げ装置（ここに図示せず）が、線１３で示すように５〜７゜である角度１４だけ旋回されることが明らかにわかる。これによって、衝突する光線７が、小さな塊体をその塗布高さ全域にわたって歪みのないように捕らえることを可能にしている。
【００２７】
本出願書類内で開示されたすべての特徴は、個別でも又は組合せても、従来技術に対して新規なものであるので、本発明に不可欠なものとして特許請求の範囲に請求されている。
【図面の簡単な説明】
【００２８】
【図１】チップモジュールをカード本体へ挿入する前のチップカードの細部を示す概略断面図である。
【図２】本発明の一実施形態において本発明に係る方法を実施するための本発明に係る装置を示す概略側面図である。
【図３ａ】曲げる前及び曲げている状態のチップカードを示す斜視図及び断面図である。
【図３ｂ】曲げる前及び曲げている状態のチップカードを示す斜視図及び断面図である。
【図３ｃ】曲げる前及び曲げている状態のチップカードを示す斜視図及び断面図である。
【図３ｄ】曲げる前及び曲げている状態のチップカードを示す斜視図及び断面図である。
【図４】本発明の他の実施形態に係る塗布された塊体の塗布高さを測定するための装置を示す概略側面図である。
【符号の説明】
【００２９】
１  カード本体
２  チップモジュール
２ａ  第１の接触面
３  アンテナ
３ａ  第２の接触面
４  小さな塊体
５  凹部
６，６ａ  光源
７，７ａ  光線
８，９，１２  プリズム
１０；１０ａ〜１０ｅ  カメラ装置
１０’  塊体近傍のカメラ装置の方向に向く直線
１１  直線
１３  線
１４  角度
【図１】
2007502722.tif 000003
【図２】
2007502722.tif 000004
【図３ａ】
2007502722.tif 000005
【図３ｂ】
2007502722.tif 000006
【図３ｃ】
2007502722.tif 000007
【図３ｄ】
2007502722.tif 000008
【図４】
2007502722.tif 000009
【国際調査報告】
2007502722.tif 000010
2007502722.tif 000011
2007502722.tif 000012
2007502722.tif 000013